【手続補正書】
【提出日】平成17年10月17日(2005.10.17)
【手続補正１】
【補正対象書類名】明細書
【補正対象項目名】特許請求の範囲
【補正方法】変更
【補正の内容】
【特許請求の範囲】
【請求項１】
（ａ）有効量のプロテアーゼ変種（そのプロテアーゼ変種は、Bacillus amyloliquefaciensズブチリシンの１、３、４、８、９、１０、１２、１３、１６、１７、１８、１９、２０、２１、２２、２４、２７、３３、３７、３８、４２、４３、４８、５５、５７、５８、６１、６２、６８、７２、７５、７６、７７、７８、７９、８６、８７、８９、９７、９８、９９、１０１、１０２、１０４、１０６、１０７、１０９、１１１、１１４、１１６、１１７、１１９、１２１、１２３、１２６、１２８、１３０、１３１、１３３、１３４、１３７、１４０、１４１、１４２、１４６、１４７、１５８、１５９、１６０、１６６、１６７、１７０、１７３、１７４、１７７、１８１、１８２、１８３、１８４、１８５、１８８、１９２、１９４、１９８、２０３、２０４、２０５、２０６、２０９、２１０、２１１、２１２、２１３、２１４、２１５、２１６、２１７、２１８、２２２、２２４、２２７、２２８、２３０、２３２、２３６、２３７、２３８、２４０、２４２、２４３、２４４、２４５、２４６、２４７、２４８、２４９、２５１、２５２、２５３、２５４、２５５、２５６、２５７、２５８、２５９、２６０、２６１、２６２、２６３、２６５、２６８、２６９、２７０、２７１、２７２、２７４および２７５位に相当する１以上のアミノ酸残基位置で他の天然アミノ酸残基によるアミノ酸残基の置換と共に、Bacillus amyloliquefaciensズブチリシンの１０３位に相当するアミノ酸残基位置で、他の天然アミノ酸残基によるアミノ酸残基の置換をうけている；上記のプロテアーゼ変種が１０３および７６位に相当する位置でアミノ酸残基の置換をうけているとき、Bacillus amyloliquefaciensズブチリシンの２７、９９、１０１、１０４、１０７、１０９、１２３、１２８、１６６、２０４、２０６、２１０、２１６、２１７、２１８、２２２、２６０、２６５または２７４位に相当するアミノ酸残基位置以外の１以上のアミノ酸残基位置でもアミノ酸残基の置換がある）；
（ｂ）有機ペルオキシ酸であるか、あるいはブリーチアクチベーターおよび組成物から形成される漂白溶液中そのアクチベーターと反応してその場で有機ペルオキシ酸を形成しうる過酸化水素発生可能なペルオキシゲン化合物の組合せである漂白剤；および
（ｃ）１種以上のクリーニング補助物質
を含んでなり、
更に、上記のプロテアーゼ変種が：
１）６２位並びに下記位置：１０３、１０４、１０９、１５９、２１３、２３２、２３６、２４５、２４８および２５２のうち１以上；
２）２１２位並びに下記位置：１２、９８、１０２、１０３、１０４、１５９、２３２、２３６、２４５、２４８および２５２のうち１以上；
３）２３０位並びに下記位置：６８、１０３、１０４、１５９、２３２、２３６および２４５のうち１以上；
４）２３２位並びに下記位置：１２、６１、６２、６８、７６、９７、９８、１０１、１０２、１０３、１０４、１０９、１３０、１３１、１５９、１８３、１８５、２０５、２０９、２１０、２１２、２１３、２１７、２３０、２３６、２４５、２４８、２５２、２５７、２６０、２７０および２７５のうち１以上；
５）２３２位並びに下記位置：１０３、１０４、２３６および２４５のうち１以上；
６）２３２および１０３位並びに下記位置：１２、６１、６２、６８、７６、９７、９８、１０１、１０２、１０３、１０４、１０９、１３０、１３１、１５９、１８３、１８５、２０５、２０９、２１０、２１２、２１３、２１７、２３０、２３６、２４５、２４８、２５２、２５７、２６０、２７０および２７５のうち１以上；
７）２３２および１０４位並びに下記位置：１２、６１、６２、６８、７６、９７、９８、１０１、１０２、１０３、１０４、１０９、１３０、１３１、１５９、１８３、１８５、２０５、２０９、２１０、２１２、２１３、２１７、２３０、２３６、２４５、２４８、２５２、２５７、２６０、２７０および２７５のうち１以上；
８）２３２および２３６位並びに下記位置：１２、６１、６２、６８、７６、９７、９８、１０１、１０２、１０３、１０４、１０９、１３０、１３１、１５９、１８３、１８５、２０５、２０９、２１０、２１２、２１３、２１７、２３０、２３６、２４５、２４８、２５２、２５７、２６０、２７０および２７５のうち１以上；
９）２３２および２４５位並びに下記位置：１２、６１、６２、６８、７６、９７、９８、１０１、１０２、１０３、１０４、１０９、１３０、１３１、１５９、１８３、１８５、２０５、２０９、２１０、２１２、２１３、２１７、２３０、２３６、２４５、２４８、２５２、２５７、２６０、２７０および２７５のうち１以上；
１０）２３２、１０３、１０４、２３６および２４５位並びに下記位置：１２、６１、６２、６８、７６、９７、９８、１０１、１０２、１０３、１０４、１０９、１３０、１３１、１５９、１８３、１８５、２０５、２０９、２１０、２１２、２１３、２１７、２３０、２３６、２４５、２４８、２５２、２５７、２６０、２７０および２７５のうち１以上；
１１）２５２位並びに下記位置：１２、６１、６２、６８、９７、９８、１０１、１０２、１０３、１０４、１０９、１３０、１３１、１５９、１８３、１８５、２１０、２１２、２１３、２１７、２３０、２３６、２４５、２４８および２７０のうち１以上；
１２）２５２位並びに下記位置：１０３、１０４、２３６および２４５のうち１以上；
１３）２５２および１０３位並びに下記位置：１２、６１、６２、６８、９７、９８、１０１、１０２、１０３、１０４、１０９、１３０、１３１、１５９、１８３、１８５、２１０、２１２、２１３、２１７、２３２、２３６、２４５、２４８および２７０のうち１以上；
１４）２５２および１０４位並びに下記位置：１２、６１、６２、６８、９７、９８、１０１、１０２、１０３、１０４、１０９、１３０、１３１、１５９、１８３、１８５、２１０、２１２、２１３、２１７、２３２、２３６、２４５、２４８および２７０のうち１以上；
１５）２５２および２３６位並びに下記位置：１２、６１、６２、６８、９７、９８、１０１、１０２、１０３、１０４、１０９、１３０、１３１、１５９、１８３、１８５、２１０、２１２、２１３、２１７、２３２、２３６、２４５、２４８および２７０のうち１以上；
１６）２５２および２４５位並びに下記位置：１２、６１、６２、６８、９７、９８、１０１、１０２、１０３、１０４、１０９、１３０、１３１、１５９、１８３、１８５、２１０、２１２、２１３、２１７、２３２、２３６、２４５、２４８および２７０のうち１以上；
１７）２５２、１０３、１０４、２３６および２４５位並びに下記位置：１２、６１、６２、６８、９７、９８、１０１、１０２、１０３、１０４、１０９、１３０、１３１、１５９、１８３、１８５、２１０、２１２、２１３、２１７、２３２、２３６、２４５、２４８および２７０のうち１以上；
１８）２５７位並びに下記位置：６８、１０３、１０４、２０５、２０９、２１０、２３２、２３６、２４５および２７５のうち１以上；
からなる群より選択される１以上の位置でアミノ酸残基の置換をうけている、漂白組成物。
【請求項２】
プロテアーゼ変種がBacillusズブチリシンに由来している、請求項１に記載の漂白組成物。
【請求項３】
プロテアーゼ変種が、１０３位、下記位置：２３６および２４６位のうち１以上、並びに下記位置：１２、６１、６２、６８、７６、９７、９８、１０１、１０２、１０４、１０９、１３０、１３１、１５９、１８３、１８５、２０５、２０９、２１０、２１１、２１２、２１３、２１５、２１７、２３０、２３２、２４８、２５２、２５７、２６０、２７０および２７５のうち１以上、または１０３および２４５位、下記位置：１２、６１、６２、６８、７６、９７、９８、１０１、１０２、１０４、１０９、１３０、１３１、１５９、１７０、１８３、１８５、２０５、２０９、２１０、２１１、２１２、２１３、２１５、２１７、２２２、２３０、２３２、２４８、２５２、２５７、２６０、２６１、２７０および２７５のうち１以上、並びに下記位置：１２、６１、６２、６８、７６、９７、９８、１０１、１０２、１０４、１０９、１３０、１３１、１５９、１８３、１８５、２０５、２０９、２１０、２１１、２１２、２１３、２１５、２１７、２３０、２３２、２４８、２５２、２５７、２６０、２７０および２７５のうち１以上で、アミノ酸残基の置換をうけている、請求項１に記載の漂白組成物。
【請求項４】
プロテアーゼ変種が
【化１−１】
2001520307.tif 000001
【化１−２】
2001520307.tif 000002
からなる群より選択される置換組合せを含んでいる、請求項１に記載の漂白組成物。
【請求項５】
プロテアーゼ変種が
【化２】
2001520307.tif 000003
【化３】
2001520307.tif 000004
からなる群より選択される置換組合せを含んでいる、請求項４に記載の漂白組成物。
【請求項６】
漂白剤が：
（ｉ）下記式の有機ペルオキシ酸：
【化４】
2001520307.tif 000005
（上記式中Ｒ１は約１〜約１４の炭素原子を有するアルキル、アリールまたはアルカリール基であり、Ｒ２は約１〜約１４の炭素原子を有するアルキレン、アリーレンまたはアルカリーレン基であり、Ｒ５はＨ、あるいは約１〜約１０の炭素原子を有するアルキル、アリールまたはアルカリール基である）、Ｅ‐フタルイミドペルオキシカプロン酸およびそれらの混合物からなる群より選択される有機ペルオキシ酸；および
（ii）ブリーチアクチベーター、および組成物から形成される漂白溶液中そのアクチベーターと反応してその場で有機ペルオキシ酸を形成しうる過酸化水素発生可能なペルオキシゲン化合物の組合せ（そのブリーチアクチベーターは下記一般式を有している：
【化５】
2001520307.tif 000006
上記式中Ｒは約５〜約１８の炭素原子を有するアルキル基であり、カルボニル炭素から伸びるそれを含んだ最長の直鎖アルキルは約６〜約１０の炭素原子を有している；Ｌは脱離基である；その共役酸は約４〜約１３範囲のｐＫａを有している；
上記ブリーチアクチベーターは下記一般式を有している：
【化６】
2001520307.tif 000007
上記式中Ｒ１は約１〜約１４の炭素原子を有するアルキル、アリールまたはアルカリール基であり、Ｒ２は約１〜約１４の炭素原子を有するアルキレン、アリーレンまたはアルカリーレン基であり、Ｒ５はＨ、あるいは約１〜約１０の炭素原子を有するアルキル、アリールまたはアルカリール基であり、Ｌは脱離基である；またはそれらの混合物）
からなる群より選択される、請求項１に記載の漂白組成物。
【請求項７】
Ｒ１が約７〜約１０の炭素原子を有するアルキル基であり、Ｒ２が約４〜約５の炭素原子を有し、Ｌが：
【化７】
2001520307.tif 000008
（上記式中Ｒ３は約１〜約８の炭素原子を有するアルキル鎖であり、Ｙは‐ＳＯ３‐Ｍ＋または‐ＣＯ２‐Ｍ＋（Ｍはナトリウムまたはカリウムである）である）からなる群より選択される、請求項６に記載の漂白組成物。
【請求項８】
漂白剤が、テトラアセチルエチレンジアミン（ＴＡＥＤ）、ベンゾイルカプロラクタム（ＢｚＣＬ）、４‐ニトロベンゾイルカプロラクタム、３‐クロロベンゾイルカプロラクタム、ベンゾイルオキシベンゼンスルホネート（ＢＯＢＳ）、ノナノイルオキシベンゼンスルホネート（ＮＯＢＳ）、フェニルベンゾエート（ＰｈＢｚ）、デカノイルオキシベンゼンスルホネート（Ｃ10‐ＯＢＳ）、ベンゾイルバレロラクタム（ＢＺＶＬ）、オクタノイルオキシベンゼンスルホネート（Ｃ８‐ＯＢＳ）、ペルヒドロライズしうるエステル、４‐〔Ｎ‐（ノナノイル）アミノヘキサノイルオキシ〕ベンゼンスルホネートナトリウム塩（ＮＡＣＡ‐ＯＢＳ）、ラウリルオキシベンゼンスルホネート（ＬＯＢＳまたはＣ12‐ＯＢＳ）、１０‐ウンデセノイルオキシベンゼンスルホネート（１０位に不飽和のＵＤＯＢＳまたはＣ11‐ＯＢＳ）およびデカノイルオキシ安息香酸（ＤＯＢＡ）およびそれらの混合物からなる群より選択されるブリーチアクチベ−ターを含んでおり、更に場合によりブリーチ触媒、好ましくは３‐（３，４‐ジヒドロイソキノリニウム）プロパンスルホネートを含んでいる、請求項１に記載の漂白組成物。
【請求項９】
漂白剤が、漂白剤の少くとも約０．１重量％の、水性液中で過酸化水素を発生しうるペルオキシゲン漂白化合物、および漂白剤の少くとも０．１重量％の１種以上のブリーチアクチベ−ターからなり、そのブリーチアクチベ−ターが：
ａ）下記一般式のブリーチアクチベ−ター：
【化８】
2001520307.tif 000009
（上記式中Ｒ１は約１〜約１４の炭素原子を有するアルキル、アリールまたはアルカリール基であり、Ｒ２は約１〜約１４の炭素原子を有するアルキレン、アリーレンまたはアルカリーレン基であり、Ｒ５はＨ、あるいは約１〜約１０の炭素原子を有するアルキル、アリールまたはアルカリール基であり、Ｌは脱離基である）またはそれらの混合物；
ｂ）下記式のベンゾオキサジンタイプブリーチアクチベ−ター：
【化９】
2001520307.tif 000010
（上記式中Ｒ１はＨ、アルキル、アルカリール、アリール、アリールアルキルであり、Ｒ２、Ｒ３、Ｒ４およびＲ５はＨ、ハロゲン、アルキル、アルケニル、アリール、ヒドロキシル、アルコキシル、アミノ、アルキルアミノ、‐ＣＯＯＲ６から選択される同一または異なる置換基であり、Ｒ６はＨまたはアルキル基およびカルボニル基である）；
ｃ）下記式のＮ‐アシルカプロラクタムブリーチアクチベ−ター：
【化１０】
2001520307.tif 000011
（上記式中Ｒ６はＨ、あるいはアルキル、アリール、アルコキシアリールまたは１〜１２の炭素を有する基である）；および
ｄ）ａ）、ｂ）およびｃ）の混合物
からなる群より選択されるメンバーである、請求項１に記載の漂白組成物。
【請求項１０】
有機ペルオキシ酸漂白剤の対応カルボン酸が、約３〜約６．５の範囲内で親水性‐親油性バランス値を有している、請求項１に記載の漂白組成物。
【請求項１１】
クリーニング補助物質が、界面活性剤、溶媒、緩衝剤、酵素、汚れ放出剤、土汚れ除去剤、分散剤、増白剤、起泡抑制剤、布帛柔軟剤、泡増強剤、酵素安定剤、ビルダー、他の漂白剤、色素、香料、キラントおよびそれらの混合物からなる群より選択される、請求項１に記載の漂白組成物。
【請求項１２】
クリーニング補助物質が、少くとも１種の洗浄界面活性剤である、請求項１１に記載の漂白組成物。
【請求項１３】
クリーニング補助物質が組成物の少くとも約０．１重量％の界面活性剤であり、その界面活性剤がアルキルベンゼンスルホネート、一級アルキルサルフェート、二級アルキルサルフェート、アルキルアルコキシサルフェート、アルキルアルコキシカルボキシレート、アルキルポリグリコシドおよびそれらの対応サルフェート化ポリグリコシド、α‐スルホン化脂肪酸エステル、アルキルおよびアルキルフェノールアルコキシレート、ベタインおよびスルホベタイン、アミンオキシド、Ｎ‐メチルグルカミド、ノニオン性一級アルコールエトキシレート、ノニオン性一級アルコール混合エトキシ／プロポキシおよびそれらの混合物からなる群より選択される物質である、請求項１１に記載の漂白組成物。
【請求項１４】
ゼオライト、ポリカルボキシレート、積層シリケート、ホスフェートおよびそれらの混合物からなる群より選択されるビルダーを少くとも約６％で更に含んでいる、請求項１３に記載の漂白組成物。
【請求項１５】
クリーニング補助物質がセルラーゼ、リパーゼ、アミラーゼ、ホスホリパーゼ、他のプロテアーゼ、ペルオキシダーゼおよびそれらの混合物からなる群より選択される少くとも１種の洗浄酵素である、請求項１１に記載の漂白組成物。
【請求項１６】
漂白組成物が、組成物の少くとも約５重量％の界面活性剤および少くとも約５％のビルダーを含んだ、液体、顆粒、錠剤、粉末またはバー形態の、布帛漂白組成物である、請求項１に記載の漂白組成物。
【請求項１７】
漂白組成物が：
（ａ）約０．０００１〜約１０重量％のプロテアーゼ変種；
（ｂ）約０．５〜約２０重量％の漂白剤；
（ｃ）少くとも約５重量％の、アルキルベンゼンスルホネート、一級アルキルサルフェート、二級アルキルサルフェート、アルキルアルコキシサルフェート、アルキルアルコキシカルボキシレート、アルキルポリグリコシドおよびそれらの対応サルフェート化ポリグリコシド、α‐スルホン化脂肪酸エステル、アルキルおよびアルキルフェノールアルコキシレート、ベタインおよびスルホベタイン、アミンオキシド、Ｎ‐メチルグルカミド、ノニオン性一級アルコールエトキシレート、ノニオン性一級アルコール混合エトキシ／プロポキシおよびそれらの混合物からなる群より選択される界面活性剤；および
（ｄ）少くとも約５重量％の、ゼオライト、ポリカルボキシレート、積層シリケート、ホスフェートおよびそれらの混合物からなる群より選択されるビルダー
を含んだ布帛漂白組成物である、請求項１に記載の漂白組成物。
【請求項１８】
少くとも約１５％の界面活性剤を含んだ濃縮顆粒布帛漂白組成物の形態をとる、請求項１７に記載の漂白組成物。
【請求項１９】
クリーニングの必要な布帛を請求項１６または１７に記載された漂白組成物と接触させることからなる、布帛のクリーニング方法。
【請求項２０】
漂白組成物が：
（ａ）皿洗い漂白組成物の約０．０００１〜約１０重量％のプロテアーゼ変種；
（ｂ）皿洗い漂白組成物の約０．５〜約２０重量％の漂白剤；
（ｃ）皿洗い漂白組成物の約０．１〜約１０重量％の界面活性剤
を含んだ、液体、顆粒、粉末または錠剤形態の、皿洗い漂白組成物である、請求項１に記載の漂白組成物。
【請求項２１】
クリーニングの必要な皿を請求項２０に記載された漂白組成物と接触させることからなる、皿のクリーニング方法。
【請求項２２】
漂白組成物が：
（ａ）パーソナルクレンジング組成物の約０．００１〜約５重量％のプロテアーゼ変種（そのプロテアーゼ変種は、Bacillus amyloliquefaciensズブチリシンの１、３、４、８、９、１０、１２、１３、１６、１７、１８、１９、２０、２１、２２、２４、２７、３３、３７、３８、４２、４３、４８、５５、５７、５８、６１、６２、６６、７２、７５、７６、７７、７８、７９、８６、８７、８９、９７、９８、９９、１０１、１０２、１０４、１０６、１０７、１０９、１１１、１１４、１１６、１１７、１１９、１２１、１２３、１２６、１２８、１３０、１３１、１３３、１３４、１３７、１４０、１４１、１４２、１４８、１４７、１５８、１５９、１６０、１６８、１６７、１７０、１７３、１７４、１７７、１８１、１８２、１８３、１８４、１８５、１８８、１９２、１９４、１９８、２０３、２０４、２０５、２０８、２０９、２１０、２１１、２１２、２１３、２１４、２１５、２１６、２１７、２１８、２２２、２２４、２２７、２２８、２３０、２３２、２３６、２３７、２３８、２４０、２４２、２４３、２４４、２４５、２４６、２４７、２４８、２４９、２５１、２５２、２５３、２５４、２５５、２５６、２５７、２５８、２５９、２６０、２６１、２６２、２６３、２６５、２６８、２６９、２７０、２７１、２７２、２７４および２７５位に相当する１以上のアミノ酸残基位置で他の天然アミノ酸残基によるアミノ酸残基の置換と共に、Bacillus amyloliquefaciensズブチリシンの１０３位に相当するアミノ酸残基位置で、他の天然アミノ酸残基によるアミノ酸残基の置換をうけている；上記のプロテアーゼ変種が１０３および７６位に相当する位置でアミノ酸残基の置換をうけているとき、Bacillus amyloliquefaciensズブチリシンの２７、９９、１０１、１０４、１０７、１０９、１２３、１２８、１６６、２０４、２０６、２１０、２１８、２１７、２１８、２２２、２８０、２６５または２７４位に相当するアミノ酸残基位置以外の１以上のアミノ酸残基位置でもアミノ酸残基の置換がある）；
（ｂ）パーソナルクレンジング組成物の約０．５〜約２０重量％の、有機ペルオキシ酸であるか、あるいはブリーチアクチベーターおよび組成物から形成される漂白溶液中そのアクチベーターと反応してその場で有機ペルオキシ酸を形成しうる過酸化水素発生可能なペルオキシゲン化合物の組合せである漂白剤；
（ｃ）パーソナルクレンジング組成物の約０．１〜約９５重量％の、アニオン性カルボキシレート、アミンオキシド、アルキルグルコシド、グルコースアミド、アルキルサルフェート、アルキルエーテルサルフェート、アシルイセチオネート、アルキルスルホサクシネート、アルキルホスフェートエステル、エトキシル化ホスフェートエステル、アルキルグリセリルエーテルスルホネートおよびそれらの混合物からなる群より選択される１種以上の界面活性剤を含んだ界面活性剤系；および
（ｄ）場合により、パーソナルクレンジング組成物の約０．０５〜約５０重量％の酵素安定剤
を含んだパーソナルクレンジング組成物である、請求項１に記載の漂白組成物。
【請求項２３】
界面活性剤が、漂白組成物の少くとも約２重量％のレベルで、石鹸である、請求項２２に記載の漂白組成物。
【請求項２４】
石鹸対プロテアーゼ変種の比率が約２０００：１〜約８：１である、請求項２３に記載の漂白組成物。
【請求項２５】
クリーニングの必要なヒトまたはそれより下等な動物のボディの一部を請求項２２に記載された漂白組成物と接触させることからなる、パーソナルクレンジング方法。
【請求項２６】
界面活性剤を含有した水溶液で布帛を洗浄する前に、その布帛を請求項１６または１７に記載された漂白組成物と接触させることからなる、クリーニングの必要な布帛の前処理方法。
【請求項２７】
プロテアーゼ変種が
【化１１】
2001520307.tif 000012
からなる群より選択される置換組合せを含んでいる、請求項１に記載のクリーニング組成物。
【請求項２８】
プロテアーゼ変種が
【化１２−１】
2001520307.tif 000013
【化１２−２】
2001520307.tif 000014
【化１３−１】
2001520307.tif 000015
【化１３−２】
2001520307.tif 000016
からなる群より選択される置換組合せを含んでいる、請求項２７に記載のクリーニング組成物。
【請求項２９】
漂白剤が：
（ｉ）下記式の有機ペルオキシ酸：
【化１４】
2001520307.tif 000017
（上記式中Ｒ１は約１〜約１４の炭素原子を有するアルキル、アリールまたはアルカリール基であり、Ｒ２は約１〜約１４の炭素原子を有するアルキレン、アリーレンまたはアルカリーレン基であり、Ｒ５はＨ、あるいは約１〜約１０の炭素原子を有するアルキル、アリールまたはアルカリール基である）、Ｅ‐フタルイミドペルオキシカプロン酸およびそれらの混合物からなる群より選択される有機ペルオキシ酸；および
（ii）ブリーチアクチベーター、および組成物から形成される漂白溶液中そのアクチベーターと反応してその場で有機ペルオキシ酸を形成しうる過酸化水素発生可能なペルオキシゲン化合物の組合せ（そのブリーチアクチベーターは下記一般式を有している：
【化１５】
2001520307.tif 000018
上記式中Ｒは約５〜約１８の炭素原子を有するアルキル基であり、カルボニル炭素から伸びるそれを含んだ最長の直鎖アルキルは約６〜約１０の炭素原子を有している；Ｌは脱離基である；その共役酸は約４〜約１３範囲のｐＫａを有している；
上記ブリーチアクチベーターは下記一般式を有している：
【化１６】
2001520307.tif 000019
上記式中Ｒ１は約１〜約１４の炭素原子を有するアルキル、アリールまたはアルカリール基であり、Ｒ２は約１〜約１４の炭素原子を有するアルキレン、アリーレンまたはアルカリーレン基であり、Ｒ５はＨ、あるいは約１〜約１０の炭素原子を有するアルキル、アリールまたはアルカリール基であり、Ｌは脱離基である；またはそれらの混合物）
からなる群より選択される、請求項１に記載の漂白組成物。
【請求項３０】
Ｒ１が約７〜約１０の炭素原子を有するアルキル基であり、Ｒ２が約４〜約５の炭素原子を有し、Ｌが：
【化１７】
2001520307.tif 000020
（上記式中Ｒ３は約１〜約６の炭素原子を有するアルキル鎖であり、Ｙは‐ＳＯ３‐Ｍ＋または‐ＣＯ２‐Ｍ＋（Ｍはナトリウムまたはカリウムである）である）からなる群より選択される、請求項２９に記載の漂白組成物。
【請求項３１】
漂白剤が、テトラアセチルエチレンジアミン（ＴＡＥＤ）、ベンゾイルカプロラクタム（ＢｚＣＬ）、４‐ニトロベンゾイルカプロラクタム、３‐クロロベンゾイルカプロラクタム、ベンゾイルオキシベンゼンスルホネート（ＢＯＢＳ）、ノナノイルオキシベンゼンスルホネート（ＮＯＢＳ）、フェニルベンゾエート（ＰｈＢｚ）、デカノイルオキシベンゼンスルホネート（Ｃ10‐ＯＢＳ）、ベンゾイルバレロラクタム（ＢＺＶＬ）、オクタノイルオキシベンゼンスルホネート（Ｃ８‐ＯＢＳ）、ペルヒドロライズしうるエステル、４‐〔Ｎ‐（ノナノイル）アミノヘキサノイルオキシ〕ベンゼンスルホネートナトリウム塩（ＮＡＣＡ‐ＯＢＳ）、ラウリルオキシベンゼンスルホネート（ＬＯＢＳまたはＣ12‐ＯＢＳ）、１０‐ウンデセノイルオキシベンゼンスルホネート（１０位に不飽和のＵＤＯＢＳまたはＣ11‐ＯＢＳ）およびデカノイルオキシ安息香酸（ＤＯＢＡ）およびそれらの混合物からなる群より選択されるブリーチアクチベ−ターを含んでおり、更に場合によりブリーチ触媒を含んでいる、請求項１に記載の漂白組成物。
【請求項３２】
漂白剤が、漂白剤の少くとも約０．１重量％の、水性液中で過酸化水素を発生しうるペルオキシゲン漂白化合物、および漂白剤の少くとも０．１重量％の１種以上のブリーチアクチベ−ターからなり、そのブリーチアクチベ−ターが：
ａ）下記一般式のブリーチアクチベ−ター：
【化１８】
2001520307.tif 000021
（上記式中Ｒ１は約１〜約１４の炭素原子を有するアルキル、アリールまたはアルカリール基であり、Ｒ２は約１〜約１４の炭素原子を有するアルキレン、アリーレンまたはアルカリーレン基であり、Ｒ５はＨ、あるいは約１〜約１０の炭素原子を有するアルキル、アリールまたはアルカリール基であり、Ｌは脱離基である）またはそれらの混合物；
ｂ）下記式のベンゾオキサジンタイプブリーチアクチベ−ター：
【化１９】
2001520307.tif 000022
（上記式中Ｒ１はＨ、アルキル、アルカリール、アリール、アリールアルキルであり、Ｒ２、Ｒ３、Ｒ４およびＲ５はＨ、ハロゲン、アルキル、アルケニル、アリール、ヒドロキシル、アルコキシル、アミノ、アルキルアミノ、‐ＣＯＯＲ６（Ｒ６はＨまたはアルキル基である）およびカルボニル基から選択される同一または異なる置換基である）；
ｃ）下記式のＮ‐アシルカプロラクタムブリーチアクチベ−ター：
【化２０】
2001520307.tif 000023
（上記式中Ｒ６はＨ、あるいは１〜１２の炭素を有するアルキル、アリール、アルコキシアリールまたはアルカリール基である）；および
ｄ）ａ）、ｂ）およびｃ）の混合物
からなる群より選択されるメンバーである、請求項１に記載の漂白組成物。
【請求項３３】
有機ペルオキシ酸漂白剤の対応カルボン酸が、約３〜約６．５の範囲内で親水性‐親油性バランス値を有している、請求項１に記載の漂白組成物。
【請求項３４】
クリーニング補助物質が、界面活性剤、溶媒、緩衝剤、酵素、汚れ放出剤、土汚れ除去剤、分散剤、増白剤、起泡抑制剤、布帛柔軟剤、泡増強剤、酵素安定剤、ビルダー、他の漂白剤、色素、香料、キラントおよびそれらの混合物からなる群より選択される、請求項１に記載の漂白組成物。
【請求項３５】
クリーニング補助物質が、少くとも１種の洗浄界面活性剤である、請求項３４に記載の漂白組成物。
【請求項３６】
クリーニング補助物質が組成物の少くとも約０．１重量％の界面活性剤であり、その界面活性剤がアルキルベンゼンスルホネート、一級アルキルサルフェート、二級アルキルサルフェート、アルキルアルコキシサルフェート、アルキルアルコキシカルボキシレート、アルキルポリグリコシドおよびそれらの対応サルフェート化ポリグリコシド、α‐スルホン化脂肪酸エステル、アルキルおよびアルキルフェノールアルコキシレート、ベタインおよびスルホベタイン、アミンオキシド、Ｎ‐メチルグルカミド、ノニオン性一級アルコールエトキシレート、ノニオン性一級アルコール混合エトキシ／プロポキシおよびそれらの混合物からなる群より選択される物質である、請求項３４に記載の漂白組成物。
【請求項３７】
ゼオライト、ポリカルボキシレート、積層シリケート、ホスフェートおよびそれらの混合物からなる群より選択されるビルダーを少くとも約５％で更に含んでいる、請求項３６に記載の漂白組成物。
【請求項３８】
クリーニング補助物質がセルラーゼ、リパーゼ、アミラーゼ、ホスホリパーゼ、他のプロテアーゼ、ペルオキシダーゼおよびそれらの混合物からなる群より選択される少くとも１種の洗浄酵素である、請求項３４に記載の漂白組成物。
【請求項３９】
漂白組成物が、組成物の少くとも約５重量％の界面活性剤および少くとも約５％のビルダーを含んだ、好ましくは液体、顆粒、錠剤、粉末またはバー形態の、布帛漂白組成物である、請求項１に記載の漂白組成物。
【請求項４０】
漂白組成物が：
（ａ）約０．０００１〜約１０重量％のプロテアーゼ変種；
（ｂ）約０．５〜約２０重量％の漂白剤；
（ｃ）少くとも約５重量％の、アルキルベンゼンスルホネート、一級アルキルサルフェート、二級アルキルサルフェート、アルキルアルコキシサルフェート、アルキルアルコキシカルボキシレート、アルキルポリグリコシドおよびそれらの対応サルフェート化ポリグリコシド、α‐スルホン化脂肪酸エステル、アルキルおよびアルキルフェノールアルコキシレート、ベタインおよびスルホベタイン、アミンオキシド、Ｎ‐メチルグルカミド、ノニオン性一級アルコールエトキシレート、ノニオン性一級アルコール混合エトキシ／プロポキシおよびそれらの混合物からなる群より選択される界面活性剤；および
（ｄ）少くとも約６重量％の、ゼオライト、ポリカルボキシレート、積層シリケート、ホスフェートおよびそれらの混合物からなる群より選択されるビルダー
を含んだ布帛漂白組成物である、請求項１に記載の漂白組成物。
【請求項４１】
少くとも約１５％の界面活性剤を含んだ濃縮顆粒布帛漂白組成物の形態をとる、請求項４０に記載の漂白組成物。
【請求項４２】
クリーニングの必要な布帛を請求項３９または４０に記載された漂白組成物と接触させることからなる、布帛のクリーニング方法。
【請求項４３】
漂白組成物が：
（ａ）皿洗い漂白組成物の約０．０００１〜約１０重量％のプロテアーゼ変種；
（ｂ）皿洗い漂白組成物の約０．５〜約２０重量％の漂白剤；
（ｃ）皿洗い漂白組成物の約０．１〜約１０重量％の界面活性剤
を含んだ、液体、顆粒、粉末または錠剤形態の、皿洗い漂白組成物である、請求項１に記載の漂白組成物。
【請求項４４】
クリーニングの必要な皿を請求項４３に記載された漂白組成物と接触させることからなる、皿のクリーニング方法。
【請求項４５】
（ａ）パーソナルクレンジング組成物の約０．００１〜約５重量％のプロテアーゼ変種（そのプロテアーゼ変種は、Bacillus amyloliquefaciensズブチリシンの６２、２１２、２３０、２３２，２５２および２５７位に相当する１以上のアミノ酸残基位置で他の天然アミノ酸残基によるアミノ酸残基の置換をうけている）；
（ｂ）パーソナルクレンジング組成物の約０．５〜約２０重量％の、有機ペルオキシ酸であるか、あるいはブリーチアクチベーターおよび組成物から形成される漂白溶液中そのアクチベーターと反応してその場で有機ペルオキシ酸を形成しうる過酸化水素発生可能なペルオキシゲン化合物の組合せである漂白剤；
（ｃ）パーソナルクレンジング組成物の約０．１〜約９５重量％の、アニオン性カルボキシレート、アミンオキシド、アルキルグルコシド、グルコースアミド、アルキルサルフェート、アルキルエーテルサルフェート、アシルイセチオネート、アルキルスルホサクシネート、アルキルホスフェートエステル、エトキシル化ホスフェートエステル、アルキルグリセリルエーテルスルホネートおよびそれらの混合物からなる群より選択される１種以上の界面活性剤を含んだ界面活性剤系；および
（ｄ）場合により、パーソナルクレンジング組成物の約０．０５〜約５０重量％の酵素安定剤
を含んでなるパーソナルクレンジング組成物。
【請求項４６】
界面活性剤が、漂白組成物の少くとも約２重量％のレベルで、石鹸である、請求項４５に記載の漂白組成物。
【請求項４７】
石鹸対プロテアーゼ変種の比率が約２０００：１〜約８：１である、請求項４６に記載の漂白組成物。
【請求項４８】
クリーニングの必要なヒトまたはそれより下等な動物のボディの一部を請求項４５に記載された漂白組成物と接触させることからなる、パーソナルクレンジング方法。
【請求項４９】
界面活性剤を含有した水溶液で布帛を洗浄する前に、その布帛を請求項３９または４０に記載された漂白組成物と接触させることからなる、クリーニングの必要な布帛の前処理方法。